(57)【要約】【課題】簡易な構造で複数日に渡り薬の包材を日ごとに保持でき、手軽に扱うことのできる投薬カレンダーを提供する。【解決手段】シート本体１の表面に複数の日付欄１１が表示され、日付欄１１の一部は薬５１の包材５０を貼着可能な粘着部２１を露出自在としたものであって、シート本体１は、日付欄１１を表示する表示シート２と、粘着部２１を有する粘着シート３とを互いに粘着により一体化してなり、粘着シート３の表面側には粘着部２１を被覆し剥離自在な被覆部１３を有してなる。【選択図】図２
2012125314.tif 000002
【特許請求の範囲】
【請求項１】
シート本体の表面に複数の日付欄が表示され、該日付欄の一部は薬の包材を貼着可能な粘着部を露出自在とした投薬カレンダーであって、
前記シート本体は、前記日付欄を表示する表示シートと、前記粘着部を有する粘着シートとを互いに粘着により一体化してなり、前記粘着シートの表面側には前記粘着部を被覆し剥離自在な被覆部を有してなることを特徴とする投薬カレンダー。
【請求項２】
前記粘着シートは少なくとも一面側が粘着面であり、
前記表示シートは一面側に前記日付欄が表示され、他面側は前記粘着シートの粘着面と接離自在な固着面であると共に、前記日付欄に隣接した領域が他の領域から切り離し自在とされて前記被覆部を構成することを特徴とする請求項１記載の投薬カレンダー。
【請求項３】
前記日付欄は複数日が一列をなし、または前記日付欄が複数欄に分割されて一列をなし、前記被覆部は前記日付欄または分割された前記日付欄を構成する欄の一列分が連続状であると共に、隣り合う前記日付欄間または分割された前記日付欄を構成する欄間に隣接する部分が切り欠かれていることを特徴とする請求項２記載の投薬カレンダー。
【請求項４】
前記粘着シートは両面に粘着層を有し、一方の粘着層を前記表示シートの表面に貼着し、他方の粘着層は前記粘着部であって該粘着部と接離自在な前記被覆部が貼着されていることを特徴とする請求項１記載の投薬カレンダー。
【請求項５】
少なくとも露出した前記粘着部の領域を覆って前記日付欄の領域を露出させるカバーシートを設けることを特徴とする請求項４記載の投薬カレンダー。
【発明の詳細な説明】
【技術分野】
【０００１】
本発明は、日毎に服用すべき薬の包材を貼着可能な投薬カレンダーに関し、特に１か月程度の日付であっても１枚で表示でき使い捨て可能である投薬カレンダーに関する。
【背景技術】
【０００２】
病気の治療において、薬を決められた間隔で所定量服用することは極めて重要である。しかし、自宅などで服用する場合には、薬を飲み忘れることもあり、これを確実に管理するため、投薬カレンダーが用いられることがあった。投薬カレンダーとしては、例えば一週間分程度の日付を表示し、日付ごとに薬の包材を収納可能であって、収納したものを視認可能である透明なポケットを複数設けたものが知られている。
【０００３】
投薬カレンダーには、日ごとあるいは１日における朝昼晩ごとに、服用すべき薬の包材を予め収納しておき、それぞれの日に薬の包材を取り出して、薬を服用する。服用し終わった薬の包材は処分されるから、投薬カレンダーには次回以降に服用すべき薬の包材のみが残ることとなる。これを目につきやすいところに設置しておくことで、薬の飲み忘れを防止することができる。このような投薬カレンダーとしては例えば特許文献１に挙げるようなものがある。
【先行技術文献】
【特許文献】
【０００４】
【特許文献１】実用新案登録第３０９４３７７号公報
【発明の概要】
【発明が解決しようとする課題】
【０００５】
しかし、従来の投薬カレンダーにおいては以下のような問題点があった。まず、日付が表示された本体シートに複数のポケットを設ける構成であったため、投薬カレンダーが大掛かりな構造を有し、多くの日付を表示することができなかった。このため、例えば１週間分程度の日付を表示するものが普通で、１か月分を１枚のシートで実現しようとすると、非常に大きくなって、手軽に扱える卓上カレンダー程度の大きさには納まらないという問題があった。また、ポケットに薬を出し入れするのは面倒であり、取り扱いが容易とは言えなかった。
【０００６】
さらに、従来の投薬カレンダーは、樹脂製などであって継続的に使い回すことが前提となっていた。したがって、１週間分の日付を表示する投薬カレンダーの場合、１週間ごとに曜日の表示を貼り直すなどの作業が必要となっていた。
【０００７】
本発明は前記課題を鑑みてなされたものであり、簡易な構造で複数日に渡って薬の包材を日ごとに保持でき、手軽に扱うことのできる投薬カレンダーを提供することを目的とする。
【課題を解決するための手段】
【０００８】
前記課題を解決するため、本発明に係る投薬カレンダーは、シート本体の表面に複数の日付欄が表示され、該日付欄の一部は薬の包材を貼着可能な粘着部を露出自在とした投薬カレンダーであって、
前記シート本体は、前記日付欄を表示する表示シートと、前記粘着部を有する粘着シートとを互いに粘着により一体化してなり、前記粘着シートの表面側には前記粘着部を被覆し剥離自在な被覆部を有してなることを特徴として構成されている。
【０００９】
また、本発明に係る投薬カレンダーは、前記粘着シートは少なくとも一面側が粘着面であり、
前記表示シートは一面側に前記日付欄が表示され、他面側は前記粘着シートの粘着面と接離自在な固着面であると共に、前記日付欄に隣接した領域が他の領域から切り離し自在とされて前記被覆部を構成することを特徴として構成されている。
【００１０】
さらに、本発明に係る投薬カレンダーは、前記日付欄は複数日が一列をなし、または前記日付欄が複数欄に分割されて一列をなし、前記被覆部は前記日付欄または分割された前記日付欄を構成する欄の一列分が連続状であると共に、隣り合う前記日付欄間または分割された前記日付欄を構成する欄間に隣接する部分が切り欠かれていることを特徴として構成されている。
【００１１】
さらにまた、本発明に係る投薬カレンダーは、前記粘着シートは両面に粘着層を有し、一方の粘着層を前記表示シートの表面に貼着し、他方の粘着層は前記粘着部であって該粘着部と接離自在な前記被覆部が貼着されていることを特徴として構成されている。
【００１２】
そして、本発明に係る投薬カレンダーは、少なくとも露出した前記粘着部の領域を覆って前記日付欄の領域を露出させるカバーシートを設けることを特徴として構成されている。
【発明の効果】
【００１３】
本発明に係る投薬カレンダーによれば、シート本体は、日付欄を表示する表示シートと、粘着部を有する粘着シートとを互いに粘着により一体化してなり、粘着シートの表面側には粘着部を被覆し剥離自在な被覆部を有してなることにより、簡単な構成で薬の包材を日付欄に隣接して貼着することができ、日付欄を１か月分表示しても構造が大掛かりになることがなく、手軽に取り扱うことができる。
【００１４】
また、本発明に係る投薬カレンダーによれば、表示シートは一面側に日付欄が表示され、他面側は粘着シートの粘着面と接離自在な固着面であると共に、日付欄に隣接した領域が他の領域から切り離し自在とされて被覆部を構成することにより、被覆部をめくるだけで粘着部を容易に露出させることができ、また使い終わった後は粘着シートを取り除くことで表示シートのみを残し、日付欄に記録したメモ等を保存することが容易にできる。
【００１５】
さらに、本発明に係る投薬カレンダーによれば、日付欄は複数日が一列をなし、または日付欄が複数欄に分割されて一列をなし、被覆部は日付欄または分割された日付欄を構成する欄の一列分が連続状であると共に、隣り合う日付欄間または分割された日付欄を構成する欄間に隣接する部分が切り欠かれていることにより、被覆部を取り除いた後に、粘着部が日付欄ごとあるいは欄ごとに区切られるので、包材を貼着する位置を明確化でき、包材の貼り間違いや混同を防止することができる。
【００１６】
さらにまた、本発明に係る投薬カレンダーによれば、粘着シートは両面に粘着層を有し、一方の粘着層を表示シートの表面に貼着し、他方の粘着層は粘着部であって該粘着部と接離自在な被覆部が貼着されていることにより、粘着シートを両面テープのような簡単な物で構成することができ、また被覆部を取り除くだけで粘着部を露出させることができるので、取り扱いも簡単にすることができる。
【００１７】
そして、本発明に係る投薬カレンダーによれば、少なくとも露出した粘着部の領域を覆って日付欄の領域を露出させるカバーシートを設けることにより、使い終わった後に表示シートに対しカバーシートを被着させることで、粘着部をカバーして露出しないようにすることができ、日付欄に記録したメモ等を保存することが容易にできる。
【図面の簡単な説明】
【００１８】
【図１】第１の実施形態における投薬カレンダーの分解斜視図である。
【図２】投薬カレンダーの部分拡大斜視図である。
【図３】複数月の投薬カレンダーを綴じた状態の斜視図である。
【図４】使い終わった月の投薬カレンダーの粘着シートを剥がしている状態の斜視図である。
【図５】第２の実施形態における投薬カレンダーの斜視図である。
【発明を実施するための形態】
【００１９】
本発明の実施形態を図面に沿って詳細に説明する。図１には、第１の実施形態における投薬カレンダーの分解斜視図を示している。この図では、厚み方向をやや誇張して示している。図１に示すように、本実施形態の投薬カレンダーは、１か月分の日付欄１１が表示された方形状の表示シート２と、その裏面側に密着される粘着シート３とからなるシート本体１によって構成されている。シート本体１は、後述するように複数月分、例えば１年分が綴じられて、１つのカレンダーとして構成される。
【００２０】
シート本体１を構成する表示シート２は、表面側が日付欄１１の表示される表示面１０であり、裏面側が粘着シート３と接離自在な固着面１５である。表示面１０は、日付欄１１のメモ部１１ａにメモ等を記入することができるように、普通紙の表面を有している。一方、固着面１５は、粘着シート３を接離自在とするため、平滑な表面を有している。
【００２１】
粘着シート３は、表示シート２と同形状からなり、表示シート２と対向する表面側は、全面に渡って粘着材が設けられた粘着面２０である。粘着面２０には、一般的にシールなどで用いられている粘着材を用いることができる。
【００２２】
表示シート２と粘着シート３は、粘着面２０の密着により一体化され、１枚のシート本体１とされる。表示シート２に表示されている日付欄１１は、１週間分の日付が横方向に並設されて日付列１２を構成している。日付列１２は、１枚の表示シート２に６列設けられている。１か月の日付は最大で６週に渡るので、日付列１２が６列設けられていることで、どのような月であっても同じ配置のカレンダーとすることができる。また、各日付欄１１は、空白領域であるメモ部１１ａをそれぞれ備えており、日ごとに薬を服用したか否かのチェックや、体調等の状態をメモとして記入することができる。
【００２３】
表示シート２のうち日付欄１１の下側に隣接した領域は、被覆部１３である。被覆部１３は、表示シート２において日付列１２の一列分に渡る連続状の領域が切断されて切り離し自在となっており、表示シート２の他の領域と同様、粘着シート３に対して粘着しているが、必要に応じてめくることで粘着シート３から剥離させ、取り除くことができる。被覆部１３を取り除くと、表示シート２の表面側に粘着シート３の粘着面２０が露出し、薬５１の包材５０を貼着することができるようになる。
【００２４】
図２には、投薬カレンダーの部分拡大斜視図を示している。この図では、図１の投薬カレンダーの右下部分を拡大している。図２に示すように、日付欄１１に隣接する被覆部１３は、これをめくることで粘着シート３から剥離していくことができ、粘着面２０を露出させることができる。
【００２５】
被覆部１３を取り除くことで露出した粘着面２０は、薬５１の包材５０を貼着自在な粘着部２１である。被覆部１３は、１週間分が連続状となっているので、１週間分の日付欄１１に対応した粘着部２１を一度に露出させることができる。また、被覆部１３には、隣り合う日付欄１１間に隣接する部分が切り欠かれて、切欠部１４が形成されている。切欠部１４は、被覆部１３の下端から上端近傍位置まで伸びるように形成される。
【００２６】
被覆部１３には、切欠部１４が日付欄１１の間ごとに形成されており、被覆部１３を表示シート２から取り除くことにより、粘着部２１を日付欄１１ごとに仕切る仕切部１６が形成される。仕切部１６は、切欠部１４の形状に対応して形成されるから、粘着部２１の下端位置から上端近傍位置まで伸びるような形状となる。なお、切欠部１４は被覆部１３の上端から下端近傍位置まで伸びる構成であってもよく、この場合には、仕切部１６も粘着部２１の上端位置から下端近傍位置まで伸びる形状となる。
【００２７】
このように、被覆部１３に切欠部１４が形成されており、被覆部１３を表示シート２から取り除くことで粘着部２１に仕切部１６が形成されることにより、粘着部２１が日付欄１１ごとに区切られるので、包材５０を貼着する位置を明確化でき、包材５０の貼り間違いや混同を防止することができる。一方で、切欠部１４は被覆部１３の上端近傍位置で止まるので、被覆部１３は１週間分が連続状となり、被覆部１３を表示シート２から取り除く際に、１週間分を一度にめくることが可能となっている。
【００２８】
次に、投薬カレンダーの実際の使用方法について説明する。図３には、複数月の投薬カレンダーを綴じた状態の斜視図を示している。この図に示すように、投薬カレンダーは複数月、例えば１年分を綴じて使用される。１年分の投薬カレンダーは、三角柱を横に寝かせた形状を有する基部４０の、二面が交わる上端位置で、綴じ具４１によって綴じられ、綴じ具４１を中心として基部４０の一面側から隣接する他面側に投薬カレンダーをめくることにより、月ごとの投薬カレンダーを見やすく掲示することができる。
【００２９】
前述のように、投薬カレンダーの被覆部１３は、１週間分が連続状となっているので、例えば、週の始めに被覆部１３を表示シート２から取り除き、粘着部２１を表面側に露出させ、仕切部１６で区切られた日付欄１１ごとの粘着部２１に対し、それぞれ服用すべき薬５１の包材５０を貼着する。そして、日ごとに対応する粘着部２１に貼着された薬５１の包材５０を取り外し、薬５１を服用することで、所定の薬を忘れず確実に服用することができる。
【００３０】
図４には、使い終わった月の投薬カレンダーの粘着シート３を剥がしている状態の斜視図を示している。この図に示すように、１か月が終わったら、投薬カレンダーは基部４０の後方にめくられるが、そのままだと粘着部２１が露出したままであるため、他の月の投薬カレンダーに粘着してしまうこととなる。これを防止するため、使い終わった月の投薬カレンダーについては、粘着シート３を全面に渡って剥がすことにより、シート本体１を表示シート２のみとすることができ、粘着部２１を除去して投薬カレンダー同士の粘着を防止することができる。そして、表示シート２には、日付欄１１のメモ部１１ａに日々の状態等が記録されているので、最終的には１年分の記録をまとめた形で保存することができる。
【００３１】
このように、本実施形態の投薬カレンダーは、表示シート２と粘着シート３とでシート本体１を構成し、表示シート２の一部領域が切り離し自在となって粘着シート３の粘着部２１を露出自在としたことにより、簡単な構成で薬５１の包材５０を日付欄１１に隣接して貼着することができ、包材５０を保持するためのポケット等を設ける必要がないから、日付欄１１を多数設けて１か月分の日付を１枚のシート本体１に表示することが可能である。また、包材５０を粘着部２１に貼着したり取り外したりするだけでよいので、取り扱いも簡単なものとすることができる。しかも、使い終わったら粘着シート３を除去して表示シート２のみを記録として保存することもできる。
【００３２】
次に、本発明の第２の実施形態について説明する。図５には、第２の実施形態における投薬カレンダーの斜視図を示している。この図は、図３や図４と同様、１年分の投薬カレンダーを綴じたものについて示している。図５に示すように、本実施形態の投薬カレンダーは、１か月分の日付欄１１が表示された表示シート２の表面に、両面テープからなる粘着シート３が貼着され一体化されたシート本体１により構成されている。
【００３３】
粘着シート３は、日付欄１１の下方に隣接する領域に設けられ、一方の粘着面で表示シート２に対して粘着される。他方の粘着面は、被覆部１３が設けられたままの状態であり、この被覆部１３をめくって取り除くことにより、粘着面が露出して粘着部２１を構成する。粘着部２１には、第１の実施形態と同様、薬５１の包材５０を貼着することができる。
【００３４】
本実施形態の投薬カレンダーには、１月ごとにカバーシート４が設けられる。カバーシート４は、外形状はシート本体１と同形状であり、一方でシート内に横長状の孔部３１が形成されている。孔部３１間の領域は、粘着部２１をカバーするカバー部３０である。孔部３１は、カバーシート４をシート本体１と重ね合わせた際の、日付列１２の領域に渡るように形成されている。投薬カレンダーを使い終わった際、カバーシート４をシート本体１の表面側に重ね合わせることで、カバーシート４のカバー部３０が、粘着部２１に対して粘着してこれを被覆し、一方で孔部３１によって日付欄１１は露出させることができる。したがって、第１の実施形態と同様、日付欄１１のメモ部１１ａに記録された投薬カレンダーを、記録として保存することができる。
【００３５】
カバーシート４としては、本実施形態に示したものには限られず、例えば樹脂等からなる透明な１枚のシートであってもよい。この場合であっても、カバーシート４が粘着部２１を被覆すると共に、日付欄１１についてはカバーシート４を介して視認することができるから、同様の効果を得ることができる。
【００３６】
このように、粘着シート３を両面テープで構成することによっても、薬５１の包材５０を貼着させる粘着部２１を日付欄１１に隣接して形成することができる。そして、第１の実施形態と同様、簡単な構成であるので、１か月分の日付欄１１を設けても、簡易で取り扱いやすい投薬カレンダーとすることができる。
【００３７】
以上、本発明の実施形態について説明したが、本発明の適用はこれら実施形態には限られず、その技術的思想の範囲内において様々に適用されうるものである。例えば、図３や図５では、投薬カレンダーを卓上カレンダーの構成としているが、これに限られず、壁面等に掛けるカレンダーの形態など、他の形態のカレンダーとしてもよい。また、日付欄１１の表示態様も、デザイン性を持たせるなどどのようなものであってもよいことは、言うまでもない。さらには、第１及び第２の実施形態の投薬カレンダーは、表示シート２を保存することができるが、単に使い捨てるものであってもよい。
【００３８】
投薬カレンダーに表示される日付欄１１の数についても、様々に設定することができる。第１及び第２の実施形態の投薬カレンダーは、いずれも１か月分の日付欄１１を表示しているが、１週間や２週間分、その他任意の数の日付欄１１を設けてもよい。また、日付欄を朝、昼、夜、就寝前などのように複数の欄に分割し、この分割した欄が列をなすように表示してもよい。この場合には、分割された日付欄を構成する欄の間ごとに切欠部１４が形成され、被覆部１３を表示シート２から取り除くことにより、粘着部２１を欄ごとに仕切る仕切部１６を形成する。
【００３９】
また、第１の実施形態では、粘着シート３の一面側のみを粘着面２０とし、表示シート２を一体化するようにしているが、粘着シート３の両面を粘着面２０とし、各面にそれぞれ表示シート２を貼着するようにしてもよい。この場合には、シート本体１の両面にカレンダーを表示できるので、シート本体１の枚数を減らしてカレンダーのコストを低減することができる。
【符号の説明】
【００４０】
１    シート本体
２    表示シート
３    粘着シート
４    カバーシート
１０    表示面
１１    日付欄
１２    日付列
１３    被覆部
１４    切欠部
１５    固着面
１６    仕切部
２０    粘着面
２１    粘着部
３０    カバー部
３１    横孔部
４０    基部
４１    綴じ具
５０    包材
５１    薬
【図１】
2012125314.tif 000003
【図２】
2012125314.tif 000004
【図３】
2012125314.tif 000005
【図４】
2012125314.tif 000006
【図５】
2012125314.tif 000007